(57)【特許請求の範囲】
【請求項１】
携帯端末に通信サービスを提供する通信事業者に備えられた通信事業者側システムと相互にネットワークで接続され、前記携帯端末に使用するＵＳＩＭカードを発行する発行ビューロに備えられた発行ビューロ側システムにおいて、
前記通信事業者側システムから通知された通信ＩＤをＵＳＩＭカードに記録する発行手段と、
前記発行手段で発行されたＵＳＩＭカードを利用者に送付するために、前記通信事業者側システムから通知された利用者情報に基づいて、該当する利用者に、該当するＵＳＩＭカードの送付処理を行う送付手段と、
を具備することを特徴とする発行ビューロ側システム。
【請求項２】
前記発行ビューロ側システムは、
前記発行手段で発行されたＵＳＩＭカードに記録されているＵＳＩＭのＩＤを前記通信事業者側システムに通知する通知手段を具備することを特徴とする請求項１に記載の発行ビューロ側システム。
【請求項３】
前記発行ビューロ側システムは、
前記通信事業者側システムから通知された通信ＩＤと、通信ＩＤを記録したＵＳＩＭカードのＵＳＩＭのＩＤとを関連づけて本人確認情報として記録するデータベースと、
前記送付手段は、前記発行手段で発行されたＵＳＩＭカードを利用者に送付するために、前記通信事業者側システムから通知された利用者情報に基づいて、前記データベースに記録された本人確認情報から、該当する利用者に、該当するＵＳＩＭカードの送付処理を行う送付手段と、
を具備することを特徴とする請求項１から請求項２のいずれかに記載の発行ビューロ側システム。
【請求項４】
携帯端末に使用するＵＳＩＭカードを発行する発行ビューロに備えられた発行ビューロ側システムと、前記ＵＳＩＭカードを利用したい利用者の利用者端末と、相互にネットワークで接続され、前記携帯端末に通信サービスを提供する通信事業者に備えられた通信事業者側システムにおいて、
携帯端末を利用したい利用者から利用者情報を受け付ける受付手段と、
前記利用者の通信ＩＤを決定する通信ＩＤ決定手段と、
前記決定された通信ＩＤを前記発行ビューロ側システムに通知する通知手段と、
前記利用者情報に基づいて、前記発行ビューロ側システムにＵＳＩＭカードの送付を指示する送付指示手段と、
を具備することを特徴とする通信事業者側システム。
【請求項５】
前記通信事業者側システムは、
前記利用者の利用者情報と、通信ＩＤ情報とを記録するデータベースと、
前記発行ビューロ側システムから通知されるＵＳＩＭカードに記録されたＵＳＩＭのＩＤに基づいて、前記データベースに記録されている利用者情報と、通信ＩＤ情報とを関連づける記録手段を具備することを特徴とする請求項４に記載の通信事業者側システム。
【請求項６】
ＵＳＩＭカードを利用する利用者の携帯端末と相互にネットワークで接続され、前記携帯端末に通信サービスを提供する通信事業者に備えられた通信事業者側システムにおいて、
前記利用者の通信ＩＤ情報を記録するデータベースと、
前記利用者の携帯端末からＵＳＩＭカードに記録されている通信ＩＤの変更を受け付ける受付手段と、
前記利用者の携帯端末に新たな通信ＩＤを提示し、新たな通信ＩＤを該当する利用者の通信ＩＤ情報に記録する記録手段と、
前記利用者の携帯端末に新たな通信ＩＤに書き換えるように指示を行う変更通知手段と、
を具備することを特徴とする通信事業者側システム。
【請求項７】
携帯端末に通信サービスを提供する通信事業者に備えられた通信事業者側システムと相互にネットワークで接続され、前記携帯端末に使用するＵＳＩＭカードを発行する発行ビューロに備えられた発行ビューロ側システムにおけるＵＳＩＭカード発行方法であって、
前記通信事業者側システムから通知された通信ＩＤをＵＳＩＭカードに記録する発行手順と、
前記発行手順で発行されたＵＳＩＭカードを利用者に送付するために、前記通信事業者側システムから通知された利用者情報に基づいて、該当する利用者に、該当するＵＳＩＭカードの送付処理を行う送付手順と、
を含むことを特徴とするＵＳＩＭカード発行方法。
【請求項８】
前記発行ビューロ側システムにより、
前記発行手順で発行されたＵＳＩＭカードに記録されているＵＳＩＭのＩＤを前記通信事業者側システムに通知する通知手順がさらに行われることを特徴とする請求項７に記載のＵＳＩＭカード発行方法。
【請求項９】
前記発行ビューロ側システムにより、
前記通信事業者側システムから通知された通信ＩＤと、通信ＩＤを記録したＵＳＩＭカードのＵＳＩＭのＩＤとを関連づけて本人確認情報としてデータベースに記録する手順と、
前記送付手順は、前記発行手順で発行されたＵＳＩＭカードを利用者に送付するために、前記通信事業者側システムから通知された利用者情報に基づいて、前記データベースに記録された本人確認情報から、該当する利用者に、該当するＵＳＩＭカードの送付処理を行う送付手順と、
がさらに行われることを特徴とする請求項７から請求項８のいずれかに記載のＵＳＩＭカード発行方法。
【請求項１０】
携帯端末に使用するＵＳＩＭカードを発行する発行ビューロに備えられた発行ビューロ側システムと、前記ＵＳＩＭカードを利用したい利用者の利用者端末と、相互にネットワークで接続され、前記携帯端末に通信サービスを提供する通信事業者に備えられた通信事業者側システムにおけるＵＳＩＭカード発行指示方法であって、
携帯端末を利用したい利用者から利用者情報を受け付ける受付手順と、
前記利用者の通信ＩＤを決定する通信ＩＤ決定手順と、
前記決定された通信ＩＤを前記発行ビューロ側システムに通知する通知手順と、
前記利用者情報に基づいて、前記発行ビューロ側システムにＵＳＩＭカードの送付を指示する送付指示手順と、
を含むことを特徴とするＵＳＩＭカード発行指示方法。
【請求項１１】
前記通信事業者側システムにより、
前記利用者の利用者情報と、通信ＩＤ情報とをデータベースに記録する手順と、
前記発行ビューロ側システムから通知されるＵＳＩＭカードに記録されたＵＳＩＭのＩＤに基づいて、前記データベースに記録されている利用者情報と、通信ＩＤ情報とを関連づける記録手順とがさらに行われることを特徴とする請求項１０に記載のＵＳＩＭカード発行指示方法。
【請求項１２】
ＵＳＩＭカードを利用する利用者の携帯端末と相互にネットワークで接続され、前記携帯端末に通信サービスを提供する通信事業者に備えられた通信事業者側システムにおける通信ＩＤ変更方法であって、
前記利用者の通信ＩＤ情報をデータベースに記録する手順と、
前記利用者の携帯端末からＵＳＩＭカードに記録されている通信ＩＤの変更を受け付ける受付手順と、
前記利用者の携帯端末に新たな通信ＩＤを提示し、新たな通信ＩＤを該当する利用者の通信ＩＤ情報に記録する記録手順と、
前記利用者の携帯端末に新たな通信ＩＤに書き換えるように指示を行う変更通知手順と、
を含むことを特徴とする通信ＩＤ変更方法。
【請求項１３】
携帯端末に通信サービスを提供する通信事業者に備えられた通信事業者側システムと相互にネットワークで接続され、前記携帯端末に使用するＵＳＩＭカードを発行する発行ビューロに備えられた発行ビューロ側システム内のコンピュータに、
前記通信事業者側システムから通知された通信ＩＤをＵＳＩＭカードに記録する発行手順と、
前記発行手順で発行されたＵＳＩＭカードを利用者に送付するために、前記通信事業者側システムから通知された利用者情報に基づいて、該当する利用者に、該当するＵＳＩＭカードの送付処理を行う送付手順と、
を実行させるためのプログラムを記録したコンピュータ読み取り可能な記録媒体。
【請求項１４】
携帯端末に通信サービスを提供する通信事業者に備えられた通信事業者側システムと相互にネットワークで接続され、前記携帯端末に使用するＵＳＩＭカードを発行する発行ビューロに備えられた発行ビューロ側システム内のコンピュータに、
前記通信事業者側システムから通知された通信ＩＤをＵＳＩＭカードに記録する発行手順と、
前記発行手順で発行されたＵＳＩＭカードを利用者に送付するために、前記通信事業者側システムから通知された利用者情報に基づいて、該当する利用者に、該当するＵＳＩＭカードの送付処理を行う送付手順と、
を実行させるためのプログラム。
【発明の詳細な説明】
【０００１】
【発明の属する技術分野】
本発明は携帯電話などの携帯端末に使用するＩＣカードを発行し運用するため発行ビューロ側システム、通信事業者側システム、ＵＳＩＭカード発行方法、ＵＳＩＭカード発行指示方法、及び通信ＩＤ変更方法に関し、特に次世代携帯端末で使用されるＵＳＩＭ（Universal Subscriber  Identity Module）を搭載したＵＳＩＭカードを発行し運用するための発行ビューロ側システム、通信事業者側システム、ＵＳＩＭカード発行方法、ＵＳＩＭカード発行指示方法、及び通信ＩＤ変更方法に関する。
【０００２】
【従来の技術】
現在、携帯電話や携帯情報端末（例えば、ＰＤＡなど）などの携帯端末の普及とその技術進歩が著しく、ＵＳＩＭカードを使用する次世代携帯端末（単に「３Ｇ」ともいう）の実用化が開始されようとしている。ＵＳＩＭカードはＩＤ（識別記号）情報や認証プログラムを書き込み、携帯端末から着脱できるようにしたカードで、端末の複製化などに対するセキュリティ機能を向上させることができる他、大量のデータを記憶することができる。また、次世代携帯端末はその通信速度が従来のもの比べて大幅に向上し、インターネットの円滑な利用の他、データ端末として用途が大幅に広がることが期待されている。なお、欧州のＧＳＭ方式のディジタル携帯端末には、ＳＩＭ（Subscriber Identity Module）カードと呼ぶＩＣカードが規格化され、広く利用されている。ＵＳＩＭはこれを発展させたもので、現在、標準化作業が進められている。
このように、将来性が大いに期待されるＵＳＩＭと次世代携帯端末であるが、ＵＳＩＭカードの普及に伴い、以下のような問題点が生じることが考えられる。
【０００３】
（１）ＵＳＩＭカードを従来の携帯端末の販売店などで販売するには、本人確認業務の煩わしと、店舗と設備の準備及び人件費によるコストの負担が大きい他、ＵＳＩＭカードは利用申請を受けた通信事業者等が本人に直接郵送する場合が多くなると考えられ、現在の販売店による対面販売方法は、ＵＳＩＭカードの販売には不向きであり、来るべきＵＳＩＭと３Ｇの時代に適合する新たなＵＳＩＭカード発行し運用するシステムが必要となる。
【０００４】
（２）また、利用者ごとにＵＳＩＭカードを発行し本人宛に送付するようになると、利用者がＵＳＩＭカードの購入申請を行ってから、利用者の手にＵＳＩＭカードが渡るまでに時間がかかってしまうことが予想される。しかし、これを解決するためにＵＳＩＭカードを先行発行して大量に在庫を所有するのは、コストの増加やセキュリティの低下を招き好ましくなく、適切なＵＳＩＭカードの発行とその運用方法が求められている。
【０００５】
（３）また、ＵＳＩＭを搭載したＵＳＩＭカードは、小型で簡単に次世代携帯端末と着脱できるため、利用者がプリペイド携帯端末用のＵＳＩＭカードや、同じ通信ＩＤを持つ複数のＵＳＩＭカードを所有するなど、大量のＵＳＩＭカードが発行されることが予想される。したがって、従来のように通信事業者が主体となってＵＳＩＭカードを発行することは困難となり、複数の発行ビューロ（ＵＳＩＭカードなどのＩＣカードの製造・販売会社）に負荷分散することが必要となる。
【０００６】
（４）また、現在は携帯端末自身に通信ＩＤを持たせているため、通信ＩＤの変更は通信事業者の携帯電話のサービスセンター等に持ち込み変更する必要があるが、書き換え可能なＵＳＩＭカードを使用することにより、より簡単な操作で通信ＩＤの変更を行えるよう利用者から要求されることが多くなると予想される。
【０００７】
【発明が解決しようとする課題】
以上説明したように、ＵＳＩＭカードを従来の携帯端末の販売店でなど販売する方法は、販売店での本人確認業務の煩わしさと、店舗と設備の準備及び人件費によるコストの負担が大きい。また、セキュリティの高いＵＳＩＭカードは利用申請を受けた通信事業者などが本人に直接郵送する場合が多くなる。したがって、現在の販売店による対面販売方法は、ＵＳＩＭカードの販売には不向きであり、ＵＳＩＭと３Ｇの時代に適合する新たなＵＳＩＭカード発行システムの構築が急務とされていた。
【０００８】
本発明は、上記課題に鑑みてなされたものであり、来るべきＵＳＩＭと３Ｇの時代に適切に対応できる発行ビューロ側システム、通信事業者側システム、ＵＳＩＭカード発行方法、ＵＳＩＭカード発行指示方法、及び通信ＩＤ変更方法を提供することを目的とする。
【０００９】
【課題を解決するための手段】
本発明はかかる課題を解決するものであり、請求項１の発明は、携帯端末に通信サービスを提供する通信事業者に備えられた通信事業者側システムと相互にネットワークで接続され、前記携帯端末に使用するＵＳＩＭカードを発行する発行ビューロに備えられた発行ビューロ側システムにおいて、前記通信事業者側システムから通知された通信ＩＤをＵＳＩＭカードに記録する発行手段と、前記発行手段で発行されたＵＳＩＭカードを利用者に送付するために、前記通信事業者側システムから通知された利用者情報に基づいて、該当する利用者に、該当するＵＳＩＭカードの送付処理を行う送付手段と、を具備することを特徴とする発行ビューロ側システムとしたものである。
【００１０】
本発明の構成により、通信事業者側システムは通信ＩＤを決定し、発行ビューロ側システムに通知する。発行ビューロ側システムでは通知された通信ＩＤを記録したＵＳＩＭを搭載したＵＳＩＭカードを発行する。また、発行ビューロ側システムは発行したＵＳＩＭカードを通信事業者から指定された住所、氏名の利用者に送付する。これにより、ＵＳＩＭカードの発行と送付を発行ビューロに集約することができ、通信事業者や携帯端末の販売店などの負担が軽減され、また発行ビューロの作業効率も向上しコストの低減が図れる。また、利用者の本人確認をＵＳＩＭカードの送付によって行える効果がある。
【００１１】
また、請求項２の発明は、前記発行ビューロ側システムは、前記発行手段で発行されたＵＳＩＭカードに記録されているＵＳＩＭのＩＤを前記通信事業者側システムに通知する通知手段を具備することを特徴とする請求項１に記載の発行ビューロ側システムとしたものである。
【００１２】
本発明の構成により、発行ビューロ側システムでは発行したＵＳＩＭのＩＤを通信事業者側システムに通知し、通信事業者側システムは「ＵＳＩＭのＩＤ」と「通信ＩＤ」とを関連づけてデータベースに登録して管理する。これにより、通信事業者は通信ＩＤを決定するだけで、ＵＳＩＭカードの発行と利用者への送付をすべて発行ビューロに委託することができ、通信事業者や携帯端末の販売店などの負担が軽減され、また、ＵＳＩＭカードの発行の効率化が図れる。
【００１３】
また、請求項３の発明は、前記発行ビューロ側システムは、前記通信事業者側システムから通知された通信ＩＤと、通信ＩＤを記録したＵＳＩＭカードのＵＳＩＭのＩＤとを関連づけて本人確認情報として記録するデータベースと、前記送付手段は、前記発行手段で発行されたＵＳＩＭカードを利用者に送付するために、前記通信事業者側システムから通知された利用者情報に基づいて、前記データベースに記録された本人確認情報から、該当する利用者に、該当するＵＳＩＭカードの送付処理を行う送付手段と、を具備することを特徴とする請求項１から請求項２のいずれかに記載の発行ビューロ側システムとしたものである。
【００１４】
本発明の構成により、通信事業者側システムは通信ＩＤを決定し、発行ビューロ側システムに通知する。発行ビューロ側システムは、通信事業者側システムから通知された通信ＩＤと、通信ＩＤを記録したＵＳＩＭカードのＵＳＩＭのＩＤとを関連づけて本人確認情報としてデータベースに記録する。このデータベースに記録された本人確認情報に基づいて、発行ビューロシステムでは通信事業者から指定された住所、氏名の利用者にＵＳＩＭカードを送付する。これにより、ＵＳＩＭカードの発行と送付を発行ビューロに集約することができ、通信事業者や携帯端末の販売店などの負担が軽減され、また発行ビューロの作業効率も向上しコストの低減が図れる。
【００１５】
また、請求項４の発明は、携帯端末に使用するＵＳＩＭカードを発行する発行ビューロに備えられた発行ビューロ側システムと、前記ＵＳＩＭカードを利用したい利用者の利用者端末と、相互にネットワークで接続され、前記携帯端末に通信サービスを提供する通信事業者に備えられた通信事業者側システムにおいて、携帯端末を利用したい利用者から利用者情報を受け付ける受付手段と、前記利用者の通信ＩＤを決定する通信ＩＤ決定手段と、前記決定された通信ＩＤを前記発行ビューロ側システムに通知する通知手段と、前記利用者情報に基づいて、前記発行ビューロ側システムにＵＳＩＭカードの送付を指示する送付指示手段と、を具備することを特徴とする通信事業者側システムとしたものである。
【００１６】
本発明の構成により、通信事業者側システムは、携帯端末を利用したい利用者から利用者情報を受け取り、通信ＩＤを決定し、通信ＩＤと利用者情報を発行ビューロ側システムに通知し、さらに、発行ビューロ側システムにＵＳＩＭカードの発行と利用者への送付を指示する。これにより、通信事業者は通信ＩＤを決定するだけで、ＵＳＩＭカードの発行と利用者への送付をすべて発行ビューロに委託することができ、通信事業者の負担が軽減される。また、ＵＳＩＭカードの発行と送付を発行ビューロに集約することで、ＵＳＩＭカードの発行の効率化が図れる。また、通信事業者は複数の発行ビューロにＵＳＩＭカードの発行を振り分け負荷分散することができ、ＵＳＩＭカードが大量発行される場合に適切に対応できるようになる。また、利用者は販売店などに行くことなくＵＳＩＭカードを購入できる。
【００１７】
また、請求項５の発明は、前記通信事業者側システムは、前記利用者の利用者情報と、通信ＩＤ情報とを記録するデータベースと、前記発行ビューロ側システムから通知されるＵＳＩＭカードに記録されたＵＳＩＭのＩＤに基づいて、前記データベースに記録されている利用者情報と、通信ＩＤ情報とを関連づける記録手段を具備することを特徴とする請求項４に記載の通信事業者側システムとしたものである。
【００１８】
本発明の構成により、通信事業者側システムは、通信ＩＤと利用者情報をデータベースに記録し、また発行ビューロから通知されたＵＳＩＭカードのＵＳＩＭのＩＤに基づいて、通信ＩＤと利用者情報を関連づけてデータベースに記録する。これにより、通信事業者システムでは、利用者のＵＳＩＭカードと、通信ＩＤと、利用者情報を一元的に管理することができ、ＵＳＩＭカードの発行と送付を発行ビューロに委託することができる。このため、通信事業者の負担が軽減さる。
【００１９】
また、請求項６の発明は、ＵＳＩＭカードを利用する利用者の携帯端末と相互にネットワークで接続され、前記携帯端末に通信サービスを提供する通信事業者に備えられた通信事業者側システムにおいて、前記利用者の通信ＩＤ情報を記録するデータベースと、前記利用者の携帯端末からＵＳＩＭカードに記録されている通信ＩＤの変更を受け付ける受付手段と、前記利用者の携帯端末に新たな通信ＩＤを提示し、新たな通信ＩＤを該当する利用者の通信ＩＤ情報に記録する記録手段と、前記利用者の携帯端末に新たな通信ＩＤに書き換えるように指示を行う変更通知手段と、を具備することを特徴とする通信事業者側システムとしたものである。
【００２０】
本発明の構成により、利用者はＵＳＩＭを使用した携帯端末から通信事業者側システムに通信ＩＤの変更申請を行い、通信事業者のシステムでは通信ＩＤを変更し、変更した通信ＩＤを利用者の携帯端末に通知する。携帯端末では通知された通信ＩＤをＵＳＩＭに書き込み、以降は変更された通信ＩＤを使用して通信を行う。これにより、携帯端末における通信ＩＤの変更が簡単に行えるようになる。さらに、通信ＩＤの変更が容易に行えることから、発行ビューロに通信ＩＤを通知する際に、通信ＩＤが他に漏れるリスクをなくすことができる。
【００２１】
また、請求項７の発明は、携帯端末に通信サービスを提供する通信事業者に備えられた通信事業者側システムと相互にネットワークで接続され、前記携帯端末に使用するＵＳＩＭカードを発行する発行ビューロに備えられた発行ビューロ側システムにおけるＵＳＩＭカード発行方法であって、前記通信事業者側システムから通知された通信ＩＤをＵＳＩＭカードに記録する発行手順と、前記発行手順で発行されたＵＳＩＭカードを利用者に送付するために、前記通信事業者側システムから通知された利用者情報に基づいて、該当する利用者に、該当するＵＳＩＭカードの送付処理を行う送付手順と、を含むことを特徴とするＵＳＩＭカード発行方法としたものである。
【００２２】
本発明の方法により、通信事業者側システムは通信ＩＤを決定し、発行ビューロ側システムに通知する。発行ビューロ側システムでは通知された通信ＩＤを記録したＵＳＩＭを搭載したＵＳＩＭカードを発行する。また、発行ビューロ側システムは発行したＵＳＩＭカードを通信事業者から指定された住所、氏名の利用者に送付する。これにより、ＵＳＩＭカードの発行と送付を発行ビューロに集約することができ、通信事業者や携帯端末の販売店などの負担が軽減され、また発行ビューロの作業効率も向上しコストの低減が図れる。また、利用者の本人確認をＵＳＩＭカードの送付によって行える効果がある。
【００２３】
また、請求項８の発明は、前記発行ビューロ側システムにより、前記発行手順で発行されたＵＳＩＭカードに記録されているＵＳＩＭのＩＤを前記通信事業者側システムに通知する通知手順がさらに行われることを特徴とする請求項７に記載のＵＳＩＭカード発行方法としたものである。
【００２４】
本発明の方法により、発行ビューロ側システムでは発行したＵＳＩＭのＩＤを通信事業者側システムに通知し、通信事業者側システムは「ＵＳＩＭのＩＤ」と「通信ＩＤ」とを関連づけてデータベースに登録して管理する。これにより、通信事業者は通信ＩＤを決定するだけで、ＵＳＩＭカードの発行と利用者への送付をすべて発行ビューロに委託することができ、通信事業者や携帯端末の販売店などの負担が軽減され、また、ＵＳＩＭカードの発行の効率化が図れる。
【００２５】
また、請求項９の発明は、前記発行ビューロ側システムにより、前記通信事業者側システムから通知された通信ＩＤと、通信ＩＤを記録したＵＳＩＭカードのＵＳＩＭのＩＤとを関連づけて本人確認情報としてデータベースに記録する手順と、前記送付手順は、前記発行手順で発行されたＵＳＩＭカードを利用者に送付するために、前記通信事業者側システムから通知された利用者情報に基づいて、前記データベースに記録された本人確認情報から、該当する利用者に、該当するＵＳＩＭカードの送付処理を行う送付手順と、がさらに行われることを特徴とする請求項７から請求項８のいずれかに記載のＵＳＩＭカード発行方法としたものである。
【００２６】
本発明の方法により、通信事業者側システムは通信ＩＤを決定し、発行ビューロ側システムに通知する。発行ビューロ側システムは、通信事業者側システムから通知された通信ＩＤと、通信ＩＤを記録したＵＳＩＭカードのＵＳＩＭのＩＤとを関連づけて本人確認情報としてデータベースに記録する。このデータベースに記録された本人確認情報に基づいて、発行ビューロシステムでは通信事業者から指定された住所、氏名の利用者にＵＳＩＭカードを送付する。これにより、ＵＳＩＭカードの発行と送付を発行ビューロに集約することができ、通信事業者や携帯端末の販売店などの負担が軽減され、また発行ビューロの作業効率も向上しコストの低減が図れる。
【００２７】
また、請求項１０の発明は、携帯端末に使用するＵＳＩＭカードを発行する発行ビューロに備えられた発行ビューロ側システムと、前記ＵＳＩＭカードを利用したい利用者の利用者端末と、相互にネットワークで接続され、前記携帯端末に通信サービスを提供する通信事業者に備えられた通信事業者側システムにおけるＵＳＩＭカード発行指示方法であって、携帯端末を利用したい利用者から利用者情報を受け付ける受付手順と、前記利用者の通信ＩＤを決定する通信ＩＤ決定手順と、前記決定された通信ＩＤを前記発行ビューロ側システムに通知する通知手順と、前記利用者情報に基づいて、前記発行ビューロ側システムにＵＳＩＭカードの送付を指示する送付指示手順と、を含むことを特徴とするＵＳＩＭカード発行指示方法としたものである。
【００２８】
本発明の方法により、通信事業者側システムは、携帯端末を利用したい利用者から利用者情報を受け取り、通信ＩＤを決定し、通信ＩＤと利用者情報を発行ビューロ側システムに通知し、さらに、発行ビューロ側システムにＵＳＩＭカードの発行と利用者への送付を指示する。これにより、通信事業者は通信ＩＤを決定するだけで、ＵＳＩＭカードの発行と利用者への送付をすべて発行ビューロに委託することができ、通信事業者の負担が軽減される。また、ＵＳＩＭカードの発行と送付を発行ビューロに集約することで、ＵＳＩＭカードの発行の効率化が図れる。また、通信事業者は複数の発行ビューロにＵＳＩＭカードの発行を振り分け負荷分散することができ、ＵＳＩＭカードが大量発行される場合に適切に対応できるようになる。また、利用者は販売店などに行くことなくＵＳＩＭカードを購入できる。
【００２９】
また、請求項１１の発明は、前記通信事業者側システムにより、前記利用者の利用者情報と、通信ＩＤ情報とをデータベースに記録する手順と、前記発行ビューロ側システムから通知されるＵＳＩＭカードに記録されたＵＳＩＭのＩＤに基づいて、前記データベースに記録されている利用者情報と、通信ＩＤ情報とを関連づける記録手順とがさらに行われることを特徴とする請求項１０に記載のＵＳＩＭカード発行指示方法としたものである。
【００３０】
本発明の方法により、通信事業者側システムは、通信ＩＤと利用者情報をデータベースに記録し、また発行ビューロから通知されたＵＳＩＭカードのＵＳＩＭのＩＤに基づいて、通信ＩＤと利用者情報を関連づけてデータベースに記録する。これにより、通信事業者システムでは、利用者のＵＳＩＭカードと、通信ＩＤと、利用者情報を一元的に管理することができ、ＵＳＩＭカードの発行と送付を発行ビューロに委託することができる。このため、通信事業者の負担が軽減さる。
【００３１】
また、請求項１２の発明は、ＵＳＩＭカードを利用する利用者の携帯端末と相互にネットワークで接続され、前記携帯端末に通信サービスを提供する通信事業者に備えられた通信事業者側システムにおける通信ＩＤ変更方法であって、前記利用者の通信ＩＤ情報をデータベースに記録する手順と、前記利用者の携帯端末からＵＳＩＭカードに記録されている通信ＩＤの変更を受け付ける受付手順と、前記利用者の携帯端末に新たな通信ＩＤを提示し、新たな通信ＩＤを該当する利用者の通信ＩＤ情報に記録する記録手順と、前記利用者の携帯端末に新たな通信ＩＤに書き換えるように指示を行う変更通知手順と、を含むことを特徴とする通信ＩＤ変更方法としたものである。
【００３２】
本発明の方法により、利用者はＵＳＩＭを使用した携帯端末から通信事業者側システムに通信ＩＤの変更申請を行い、通信事業者のシステムでは通信ＩＤを変更し、変更した通信ＩＤを利用者の携帯端末に通知する。携帯端末では通知された通信ＩＤをＵＳＩＭに書き込み、以降は変更された通信ＩＤを使用して通信を行う。これにより、携帯端末における通信ＩＤの変更が簡単に行えるようになる。さらに、通信ＩＤの変更が容易に行えることから、発行ビューロに通信ＩＤを通知する際に、通信ＩＤが他に漏れるリスクをなくすことができる。
【００３３】
また、請求項１３の発明は、携帯端末に通信サービスを提供する通信事業者に備えられた通信事業者側システムと相互にネットワークで接続され、前記携帯端末に使用するＵＳＩＭカードを発行する発行ビューロに備えられた発行ビューロ側システム内のコンピュータに、前記通信事業者側システムから通知された通信ＩＤをＵＳＩＭカードに記録する発行手順と、前記発行手順で発行されたＵＳＩＭカードを利用者に送付するために、前記通信事業者側システムから通知された利用者情報に基づいて、該当する利用者に、該当するＵＳＩＭカードの送付処理を行う送付手順と、を実行させるためのプログラムを記録したコンピュータ読み取り可能な記録媒体としたものである。
【００３４】
また、請求項１４の発明は、携帯端末に通信サービスを提供する通信事業者に備えられた通信事業者側システムと相互にネットワークで接続され、前記携帯端末に使用するＵＳＩＭカードを発行する発行ビューロに備えられた発行ビューロ側システム内のコンピュータに、前記通信事業者側システムから通知された通信ＩＤをＵＳＩＭカードに記録する発行手順と、前記発行手順で発行されたＵＳＩＭカードを利用者に送付するために、前記通信事業者側システムから通知された利用者情報に基づいて、該当する利用者に、該当するＵＳＩＭカードの送付処理を行う送付手順と、を実行させるためのプログラムとしたものである。
【００３５】
【発明の実施の形態】
以下、本発明の実施の形態を図示例と共に説明する。
【００３６】
図１は、本発明のＵＳＩＭカード発行システムの構成例を示す図であり、１は携帯通信網、２はネットワーク、１０は通信事業者（第１種通信事業者、第２種通信事業者やインターネット接続業者など）、１１は通信事業者側システム（単に「通信事業者システム」ともいう）、２０は発行ビューロ（ＩＣカードの製造・販売会社）、２１は発行ビューロ側システム（単に「発行ビューロシステム」ともいう）、３０は利用者、３１は携帯電話やＰＤＡなどの利用者の携帯端末、３２は半導体ＩＣチップであるＵＳＩＭを搭載したＵＳＩＭカード、３３はＵＳＩＭカードに搭載された半導体ＩＣチップであるＵＳＩＭ、３４はパーソナルコンピュータ等の情報処理装置である利用者端末、４０は通信事業者のシステムと発行ビューロのシステムを接続する専用回線を示している。
【００３７】
まず、図１に示すシステムの動作の概要について説明すると、通信事業者１０はＵＳＩＭカード３２に記録する通信ＩＤを決定し、通信事業者システム１１から発行ビューロシステム２１に通知する。発行ビューロシステム２１は、通信事業者システム１１から通知された通信ＩＤを記録したＵＳＩＭ３３を搭載したＵＳＩＭカード３２を発行する。また、発行したＵＳＩＭカード３２を、通信事業者１０が指定する住所、氏名の利用者３０へ送付する。また、発行ビューロシステム２１は発行したＵＳＩＭカード３２に搭載したＵＳＩＭのＩＤを通信事業者１０に通知する。利用者３０は発行ビューロ２０から受け取ったＵＳＩＭカード３２を、携帯端末３１に装着し、携帯通信網１を介して通話を行う。
【００３８】
また、図２は通信事業者システム１１及び発行ビューロシステム２１の機能構成を示す図であり、通信事業者システム１１及び発行ビューロシステム２１の持つ機能の中で、本発明に直接関係する部分について示したものである。図２において、１２は通信事業者システム１１内の通信ＩＤの決定機能、１２ａは決定された通信ＩＤを発行ビューロシステム２１に通知する通信ＩＤの通知機能、１３はＵＳＩＭのＩＤ登録機能、１４はＵＳＩＭカードの送付指示機能、１５ａはＷｅｂページ公開機能、１５ｂはＵＳＩＭ購入受付機能、１５ｃは利用者の利用者情報の登録機能、１６ａは利用者のＵＳＩＭカードの通信ＩＤ変更受付機能、１６ｂは利用者のＵＳＩＭカードの通信ＩＤの変更登録機能、１６ｃは利用者のＵＳＩＭカードの通信ＩＤの変更通知機能、１７は利用者情報や通信情報を記録しているデータベース、２２は発行ビューロシステム２１内のＵＳＩＭカードの発行機能、２３はＵＳＩＭのＩＤの通知機能、２４はＵＳＩＭカードの送付機能、２５はデータベースを示しており、他の符号のものは図１の場合と同様である。
【００３９】
以下、通信事業者システム１１内の各機能について説明する。
・通信ＩＤの決定機能１２は、通信事業者１０が携帯端末３１に使用する通信ＩＤを決定する機能である。ここで、通信ＩＤとは携帯電話機や固定電話機の電話番号や、インターネットのＩＰアドレスなどの通信に用いられる識別情報である。
・通信ＩＤの通知機能１２ａは、決定された通信ＩＤを発行ビューロシステム２１に通知する機能である。
・ＵＳＩＭ３３またはのＩＤ登録機能１３は、発行ビューロシステム２１がＵＳＩＭカード３２を発行した際に、発行ビューロから通知される「ＵＳＩＭのＩＤ（ＵＳＩＭの識別記号）」をデータベース１７に記録する機能である。ＵＳＩＭのＩＤとは、ＵＳＩＭ３３又はＵＳＩＭカード３２を一意の定める識別記号である。例えば、製造番号、シリアル番号、個定識別記号などがあげられる。
・ＵＳＩＭカードの送付指示機能１４は、ＵＳＩＭカード３２の送付先となる利用者３０の氏名、住所等の本人確認に必要な利用者情報を発行ビューロシステム２１に通知し、利用者３０へのＵＳＩＭカード３２の送付を指示する機能である。
・Ｗｅｂページ公開機能１５ａは、利用者からのＵＳＩＭカード３２の購入申し込みを受け付けるためのＷｅｂページをネットワーク上で公開する機能である。
・ＵＳＩＭ購入受付機能１５ｂは、Ｗｅｂページを介して、利用者３０からＵＳＩＭ購入契約に必要な利用者情報を受け付ける機能である。
・利用者情報の登録機能１５ｃは、受け付けた利用者情報をデータベース１７に記録する機能である。利用者情報としては、例えば、「氏名」、「住所」、「生年月日」、「性別」、「電話番号」、「Ｅ−ｍａｉｌアドレス」、「支払銀行名」、「支払口座番号」などがある。
・通信ＩＤの変更受付機能１６ａは、利用者３０の携帯端末３１からの通信ＩＤの変更申請を受け付ける機能である。
・通信ＩＤの変更登録機能１６ｂは、通信ＩＤの変更、変更した通信ＩＤのデータベース１７への記録を行う機能である。
・通信ＩＤの変更通知機能１６ｃは、変更した通信ＩＤの携帯端末３１への通知と、携帯端末３１内のＵＳＩＭカード３２のＵＳＩＭ３３への通知された通信ＩＤの書き込み指示を行う機能である。
【００４０】
また、発行ビューロシステム２１内の各機能は以下の機能を有する。
・ＵＳＩＭカードの発行機能２２は、通信事業者システム１１から通知された通信ＩＤを基に、該通信ＩＤを記録したＵＳＩＭカード３２を発行する処理を行う機能である。
・ＵＳＩＭのＩＤ通知機能２３は、発行したＵＳＩＭカード３２又はＵＳＩＭ３３のＵＳＩＭのＩＤを通信事業者システム１１に通知する機能である。
・ＵＳＩＭカードの送付機能２４は、通信事業者１０から通知された利用者情報を基に、利用者３０にＵＳＩＭカード３２を送付するための処理を行う機能である。例えば、送付指示票の印刷処理などを行う。
【００４１】
以上説明したように、図１に示すシステムに、図２に示す機能を設けることにより、ＵＳＩＭカード３２の発行と送付を発行ビューロ２０に集約することができ、通信事業者１０、携帯端末の販売店などの負担が軽減されコストの低減が図れる。また、利用者の本人確認をＵＳＩＭカード３２の送付によって行える効果もある。また、ＵＳＩＭカード３２の発行と利用者への送付を発行ビューロ２０で行うことにより、ＵＳＩＭカード３２の製造、発行、利用者への送付までを一貫した作業として行え、ＵＳＩＭカード３２の発行の効率化が図れる。また、複数の発行ビューロ２０によるカード発行の負荷分散が図れる。またさらに、通信ＩＤの変更も簡単に行える。さらに、通信ＩＤの変更が容易に行えることから、発行ビューロ２０に通信ＩＤを通知する際に、通信ＩＤが他に漏れるリスクをなくすことができる。
【００４２】
また、図３は本システムで取り扱うデータ構造を示す図であり、通信事業者システム１１のデータベース１７には、利用者情報と通信ＩＤ情報が記録される。
・利用者情報には、利用者の「氏名」と「住所」の他、関係者以外に漏らすことが許されない機密事項としての「支払銀行名」と「支払口座番号」、運用者が任意に登録／不登録を選択することができる「生年月日」、「性別」、「電話番号」、「Ｅ−ｍａｉｌアドレス」が記録される。
・また通信ＩＤ情報には、通信事業者１０が決定した通信ＩＤと、発行ビューロ２１で発行したＵＳＩＭカード３２又はＵＳＩＭ３３のＵＳＩＭのＩＤが関連づけて記録される。
【００４３】
また、発行ビューロシステム２１のデータベース２５には、通信事業者システム１１から通知された本人確認情報が記録される。すなわち、ＵＳＩＭカード３２を利用者３０に送付するために必要となる利用者の「氏名」と「住所」が登録される他、ＵＳＩＭカード３２又はＵＳＩＭ３３に記録した「通信ＩＤ」および該「通信ＩＤ」を記録している「ＵＳＩＭのＩＤ」の情報が記録される。なお、発行ビューロシステム２１のデータベース２５に記録されるこれらの本人確認情報は、ＵＳＩＭカード３２の発行と利用者への送付の際にだけ利用される情報であり、一時的に保存される情報である。
【００４４】
また、利用者３０の携帯端末３１には、発行ビューロ２０から送付されたＵＳＩＭカード３２が装着され、ＵＳＩＭ３３内には「ＵＳＩＭのＩＤ」と「通信ＩＤ」が記録されており、この「通信ＩＤ」を使用して通信を行うことになる。なお、ＵＳＩＭカード３２にＵＳＩＭのＩＤが記録されている場合もある。この場合は、印字や打刻によるものが考えられる。
【００４５】
また、図４は、図１のシステムの動作フローを示す図であり、以下、図４を基に図１示すシステムにおける動作の流れについて説明する。
【００４６】
（１）通信ＩＤの決定（ステップＳ１）
通信事業者１０が、通信ＩＤの決定機能１２を用いて通信ＩＤを決定し、通信ＩＤの通知機能１２ａを用いて、発行ビューロシステム２１にその通信ＩＤを通知する。
【００４７】
（２）ＵＳＩＭカードの発行（ステップＳ２）
発行ビューロ２０は、ＵＳＩＭカードの発行機能２２を用いて通信事業者から通知された通信ＩＤを基に、この通信ＩＤを記録するＵＳＩＭ３３を搭載したＵＳＩＭカード３２を発行する。
【００４８】
（３）利用者情報の登録（ステップＳ３、Ｓ４）
利用者３０は通信事業者１０のＷｅｂサイトであるＷｅｂページ公開機能１５ａにアクセスし、通信事業者１０のＷｅｂページを開き、ＵＳＩＭカード３２の購入契約に必要な項目にしたがって、利用者情報を入力する。図１０は、ＵＳＩＭカード３２の購入申込画面の例を示す図であり、この購入申込画面上に、利用者の「氏名」、「住所」、「生年月日」、「性別」、「電話番号」、「Ｅ−ｍａｉｌアドレス」、「支払銀行名」、「支払口座番号」などを入力する（ステップＳ３）。通信事業者１０は利用者の入力を受け付け、ＵＳＩＭ購入受付機能１５ｂで受け付けた利用者情報を利用者情報の登録機能１５ｃを用いてデータベース１７に記録する（ステップＳ４）。
【００４９】
（４）ＵＳＩＭカードの送付指示（ステップＳ５）
通信事業者１０は、ＵＳＩＭカード送付指示機能１４を用いてＵＳＩＭカード３２を送付する利用者３０を決定する。それから、このＵＳＩＭカード送付指示機能１４を用いて通信事業者１０はＵＳＩＭカード３２の送付先となる利用者の利用者情報を発行ビューロシステム２１に通知する。なお、通信事業者１０は利用者３０の与信確認を既に済ませているものとする。
【００５０】
（５）ＵＳＩＭカードの送付（ステップＳ６）
発行ビューロシステム２１では、ＵＳＩＭカードの送付機能２４を用いて通信事業者１０から通知された利用者３０の氏名、住所などのＵＳＩＭカード３２の送付に必要な利用者情報の確認を行う。それから、発行ビューロシステム２１は、このＵＳＩＭカード３２の送付機能２４を用いて利用者３０にＵＳＩＭ３３を搭載したＵＳＩＭカード３２を送付する。またＵＳＩＭカード３２又はＵＳＩＭ３３に記録した「ＵＳＩＭのＩＤ」及び「通信ＩＤ」を通信事業者１０の通信事業者システム１１に通知する。
【００５１】
（６）ＵＳＩＭのＩＤの登録（ステップＳ７）
通信事業者システム１１では、発行ビューロシステム２１から通知された「ＵＳＩＭのＩＤ」と「通信ＩＤ」を関連づけて、データベース１７に記録する。
【００５２】
（７）通話（ステップＳ８）
利用者３０は、発行ビューロ２０から送付されたＵＳＩＭ３３を搭載したＵＳＩＭカード３２を受け取り、携帯端末３１に装着する。ＵＳＩＭカード３２を装着することにより、携帯端末３１は通信可能になる。
【００５３】
（８）通信ＩＤの変更（ステップＳ９、Ｓ１０、Ｓ１１）
・利用者３０は通信事業者１０の通信事業者システム１１に、携帯端末３１を通して通信ＩＤの変更（この場合は電話番号）を申請する（ステップＳ９）。この場合、図１１に示すように、最初に携帯端末３１に画面１を開き、通信ＩＤの変更に関する規約に同意する操作を行う。
・通信事業者１０の通信事業者システム１１は、申請のあった利用者３０の通信ＩＤを変更し、利用者３０の携帯端末３１に通知する。利用者３０の携帯端末３１には図１１の画面２に示すように、候補となる通信ＩＤ（この場合は電話番号）が表示される。利用者３０は変更された通信ＩＤでよければ画面２上で「変更する」を選択し、別の通信ＩＤを希望する場合は「再度検索する」を選択する。
・変更する通信ＩＤが決まると、通信事業者システム１１ではデータベース１７に変更した通信ＩＤを記録する（ステップＳ１０）。また、通信事業者システム１１は利用者３０の携帯端末３１に変更した通信ＩＤを通知し、利用者３０の携帯端末３１のＵＳＩＭ３３への変更データ（ここでは通信ＩＤ）を書き込みするように指示する。図１１の画面３は、携帯端末３１のＵＳＩＭ３３への変更された通信ＩＤの書き込みを実行中の画面を示している。
・通信ＩＤの書き換えの完了後に、利用者３０は変更された通信ＩＤにより通信を行うことができる（ステップＳ１１）。
このように、本発明では、ＵＳＩＭカード３２を装着した携帯端末３１において、ＵＳＩＭ３３に記録されている通信ＩＤを書き換えるだけで、簡単に通信ＩＤを変更することができる。
【００５４】
また、図５は各システム及び利用者３０の携帯端末３１のＵＳＩＭカード３２におけるデータ構造の遷移について説明するための図その１であり、図６は各システム及び利用者３０の携帯端末３１のＵＳＩＭカード３２におけるデータ構造の遷移について説明するための図その２であり、各システムにおける本発明に直接関係するデータの遷移状態をわかりやすく示したものである。
【００５５】
以下、図５及び図６を基にデータ構造の遷移について説明する。なお、図中の網掛けした部分のデータはそのステップで更新または記録されるデータであることを示している。
【００５６】
（１）通信ＩＤの決定時（図５のステップＳ２１）
通信事業者システム１１における通信ＩＤの決定時には、通信事業者システム１１のデータベース１７の通信ＩＤ情報には、この情報のインデックスとなる主キー「１００００」、決定された通信ＩＤ「ｘｘｘ−ｘｘｘｘ」が記録される。
【００５７】
（２）ＵＳＩＭカードの発行時（図５のステップＳ２２）
発行ビューロシステム２１でＵＳＩＭカード３２が発行される際には、通信事業者システム１１の通信ＩＤ情報には変化がなく、発行ビューロシステム２１にて、発行ビューロ２０が発行するＵＳＩＭカード３２に「ＵＳＩＭのＩＤ（ＵＵＵＵＵＵ）」と「通信ＩＤ（ｘｘｘ−ｘｘｘｘ）」とを記録する。また、発行ビューロシステム２１のデータベース２５にも、同様に「ＵＳＩＭのＩＤ」と「通信ＩＤ」とが本人確認情報として記録される。
【００５８】
（３）利用者情報の登録時（図５のステップＳ２３）
通信事業者システム１１における利用者情報の記録時には、利用者３０から送られた利用者情報を基に、通信事業者システム１１内のデータベース１７の利用者情報に、利用者情報のインデックスとなる主キー「９９９９」と、利用者の「氏名」、「住所」、「支払銀行名」、「支払口座番号」等が利用者情報として記録される。なお、利用者情報には、生年月日、性別、電話番号などのその他の個人や法人などを特定する情報も記録される場合がある。
【００５９】
（４）ＵＳＩＭカードの送付指示、送付時（図６のステップＳ２４）
図６のステップＳ２４に示すＵＳＩＭカード３２の送付指示、ＵＳＩＭカード３２の送付時には、通信事業者システム１１から発行ビューロシステム２１に利用者情報が通知される。そして、発行ビューロシステム２１のデータベース２５の本人確認情報には、通信事業者システム１１のデータベース１７に記録されている利用者情報のインデックスとなる主キー「９９９９」と、「氏名」、「住所」、「ＵＳＩＭのＩＤ（ＵＵＵＵＵＵ）」、「通信ＩＤ（ｘｘｘ−ｘｘｘｘ）」が記録される。
【００６０】
（５）ＵＳＩＭのＩＤ登録時（図６のステップＳ２５）
発行ビューロシステム２１で、ＵＳＩＭカード３２が発行されると、発行ビューロシステム２１から通信事業者システム１１にＵＳＩＭのＩＤ、通信ＩＤや利用者情報キーなどが通知され、通信事業者システム１１内のデータベース１７に記録されている通信ＩＤ情報に、利用者情報キー「９９９９」と「ＵＳＩＭのＩＤ（ＵＵＵＵＵＵ）」が記録され、また、この利用者情報キーに対応する利用者情報に通信ＩＤ情報キー「１００００」が記録される。
【００６１】
（６）通信ＩＤの変更登録時（図６のステップＳ２６）
利用者３０の携帯端末３１から通信事業者システム１１に、通信ＩＤの変更申請があり、利用者３０が所有する携帯端末３１の通信ＩＤを変更した場合には、通信ＩＤの変更を申請した利用者３０に対応する通信事業者システム１１内の通信ＩＤ情報に、変更された利用者の通信ＩＤ「ｙｙｙ−ｙｙｙｙ」が変更登録される。また同様に、利用者３０の携帯端末３１のＵＳＩＭカード３２又はＵＳＩＭ３３に記録されている通信ＩＤも「ｙｙｙ−ｙｙｙｙ」に書き換えられる
【００６２】
また、図７は通信事業者システム１１のサーバの構成例を示すブロック図であり、本発明に直接関係する部分についてのみ示したものである。図７において、１０１は通信事業者システム１１のサーバ、１０２はインターネット、携帯電話網及び専用回線などとサーバを接続する通信回線接続部、１０３はサーバ全体を制御する制御部、１０４はデータベース（データベース１７に相当）、１１０は処理プログラム部を示している。なお、通信事業者システム１１とサーバ１０１は、機能的にはほぼ同一であり、具体的に示したにすぎない。
【００６３】
また、処理プログラム部１１０には、以下の処理部が含まれている。
・通信ＩＤの決定処理部１１１は、通信事業者１０が携帯端末３１に使用する利用者３０の通信ＩＤを決定する処理部である。
・通信ＩＤ通知処理部１１２は、決定された通信ＩＤを発行ビューロシステム２１又はサーバ２０１に通知する処理部である。
・ＵＳＩＭのＩＤ登録処理部１１３は、発行ビューロシステム２１又はサーバ２１がＵＳＩＭカード３２を発行した際に、発行ビューロ２０の発行ビューロシステム２１又はサーバ２０１から通知される「ＵＳＩＭのＩＤ」等をデータベース１０４に記録する処理部である。
・ＵＳＩＭカード送付指示処理部１１４は、ＵＳＩＭカード３２の送付先となる利用者情報を発行ビューロシステム２１又はサーバ２０１に通知し、利用者３０へのＵＳＩＭカード３２の送付を指示する処理部である。
・Ｗｅｂページ公開処理部１１５は、利用者３０からのＵＳＩＭカード３２の購入申し込みを受け付けるためのＷｅｂページをネットワーク上に公開する処理部である。
・ＵＳＩＭ購入受付処理部１１６は、Ｗｅｂページを介して、利用者端末３４からＵＳＩＭカード３２の購入契約に必要な利用者３０の利用者情報を受け付ける処理部である。
・利用者情報登録処理部１１７は、利用者３０から受け付けた利用者情報をデータベース１０４に記録する処理部である。
・通信ＩＤの変更受付処理部１１８は、利用者３０の携帯端末３１からの通信ＩＤの変更申請を受け付ける処理部である。
・通信ＩＤの変更登録処理部１１９は、利用者３０の携帯端末３１からの通信ＩＤの変更申請を受け付け、通信ＩＤの変更、変更された通信ＩＤのデータベース１０４への記録を行う処理部である。
・変更通知処理部１２０は、携帯端末３１へ変更した通信ＩＤの通知と、携帯端末３１内のＵＳＩＭ３３への変更された通信ＩＤの書き込み指示を行う処理部である。
【００６４】
なお、この処理プログラム部１１０は専用のハードウエアにより実現されるものであってもよく、またこの処理プログラム部はメモリおよびＣＰＵ（中央処理装置）等の汎用の情報処理装置により構成され、この処理部の機能を実現するためのプログラム（図示せず）をメモリのロードして実行することによりその機能を実現させるものであってもよい。また、このサーバには、周辺機器として入力装置、表示装置等（いずれも表示せず）が接続されているものとする。ここで、入力装置としては、キーボード、マウス等の入力デバイスのことをいう。表示装置とは、ＣＲＴ（Cayhode Ray Tube）や液晶表示装置等のことをいう。
【００６５】
また、図８は発行ビューロシステム２１のサーバの構成例を示すブロック図であり、本発明に直接関係する部分についてのみ示したものである。図８において、２０１は発行ビューロシステム２１のサーバ、２０２はインターネット、携帯電話網及び専用回線などとサーバを接続する通信回線接続部、２０３はサーバ全体を制御する制御部、２０４はデータベース（データベース２５に相当）、２１０は処理プログラム部を示している。なお、発行ビューロシステム２１とサーバ２０１は、機能的にはほぼ同一であり、具体的に示したにすぎない。
【００６６】
また、処理プログラム部２１０には、以下の処理部が含まれている。
・ＵＳＩＭカード発行処理部２１１は、通信事業者システム１１又はサーバ１０１から通知された通信ＩＤを基に、該通信ＩＤを記録したＵＳＩＭカード３２を発行する処理部である。
・ＵＳＩＭカード送付処理部２１２は、通信事業者１０から通知された利用者情報を基に、利用者３０にＵＳＩＭカード３２を送付するための処理を行う。例えば、送付指示票の印刷処理や送付指示票と該当するＵＳＩＭカード３２の封入や封緘の処理などを行う。
・ＵＳＩＭのＩＤ通知処理部２１３は、発行したＵＳＩＭカード３２のＵＳＩＭのＩＤを通信事業者システム１１に通知する処理部である。
【００６７】
なお、この処理プログラム部２１０は専用のハードウエアにより実現されるものであってもよく、またこの処理プログラム部はメモリおよびＣＰＵ（中央処理装置）により構成され、この処理部の機能を実現するためのプログラム（図示せず）をメモリのロードして実行することによりその機能を実現させるものであってもよい。また、このサーバには、周辺機器として入力装置、表示装置等（いずれも表示せず）が接続されているものとする。ここで、入力装置としては、キーボード、マウス等の入力デバイスのことをいう。表示装置とは、ＣＲＴ（Cayhode Ray Tube）や液晶表示装置等のことをいう。
【００６８】
また、図９はＵＳＩＭカード３１０を用いる携帯端末３０１の構成例を示すブロック図であり、本発明に直接関係する部分についてのみ示したものである。
携帯端末３０１には、通常の携帯通信としての機能の他に、ＵＳＩＭカード装着部３０２とＵＳＩＭ３１１のデータを読み書きするＵＳＩＭ読書部３０３が設備される。ＵＳＩＭ３１１を搭載したＵＳＩＭカード３１０を、ＵＳＩＭカード装着部３０２に装着することにより、ＵＳＩＭ３１０に記録した通信ＩＤ等のデータが携帯端末３０１に読み取られ、携帯端末３０１での通信が可能になる。
【００６９】
なお、ＵＳＩＭカード３１０に搭載するＵＳＩＭ３１１は、そのデータ読み書き方式として、接触式、非接触式のいずれであってもよく、携帯端末３０１の構成に応じて選択され使用される。
【００７０】
以上、本発明の実施の形態について説明したが、本発明は、上述の図示例にのみ限定されるものではなく、本発明の要旨を逸脱しない範囲内において種々変更を加え得ることは勿論である。
【００７１】
また、図７の通信事業者システム１１、及び図８の発行ビューロシステム２１の機能を実現するためのプログラムをコンピュータ読み取り可能な記録媒体に記録して、この記録媒体に記録されたプログラムを通信事業者システム１１や発行ビューロシステム２１内のコンピュータに読み込ませ、実行することにより本発明のＵＳＩＭカード発行システムの機能を実現する処理を行ってもよい。
【００７２】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハ−ドディスク等の記憶装置のことをいう。さらに、「コンピュータ読み取り可能な記録媒体」とは、インターネット等のネットワークや電話回線等の通信回線を介してプログラムが送信された場合のサーバやクライアントとなるコンピュータシステム内部の揮発性メモリ（ＲＡＭ）のように、一定時間プログラムを保持しているものも含むものとする。
【００７３】
また、上記プログラムは、このプログラムを記憶装置に格納したコンピュータシステムから、伝送媒体を介して、あるいは伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する媒体のことをいう。
【００７４】
また、上記プログラムは、前述した機能の一部を実現するものであっても良い。さらに、前述した機能をコンピュータシステムにすでに記録されているプログラムとの組み合わせで実現できるもの、いわゆる差分ファイル（差分プログラム）であってもよい。
【００７５】
【発明の効果】
以上説明したように、請求項１の発行ビューロ側システムは、通信事業者（第１種通信事業者、第２種通信事業者やインターネット接続業者など）側システムは通信ＩＤ（「電話番号」や「インターネットのＩＰアドレス」など）を決定し、発行ビューロ（ＵＳＩＭカードの製造・販売会社）側システムに通知する。発行ビューロ側システムでは通知された通信ＩＤを記録したＵＳＩＭを搭載したＵＳＩＭカードを発行する。また、発行ビューロ側システムは発行したＵＳＩＭカードを通信事業者から指定された住所、氏名の利用者に送付する。これにより、ＵＳＩＭカードの発行と送付を発行ビューロに集約することができ、通信事業者や携帯端末の販売店などの負担が軽減され、また発行ビューロの作業効率も向上しコストの低減が図れる。また、利用者の本人確認をＵＳＩＭカードの送付によって行える効果がある。
【００７６】
また、請求項２の発行ビューロ側システムは、発行ビューロ側システムでは発行したＵＳＩＭのＩＤを通信事業者側システムに連絡し、通信事業者側システムは「ＵＳＩＭのＩＤ」と「通信ＩＤ」とを関連づけてデータベースに登録して管理する。これにより、通信事業者は通信ＩＤを決定するだけで、ＵＳＩＭカードの発行と利用者への送付をすべて発行ビューロに委託することができ、通信事業者や携帯端末の販売店などの負担が軽減され、また、ＵＳＩＭカードの発行の効率化が図れる。
【００７７】
また、請求項３の発行ビューロ側システムは、通信事業者側システムは通信ＩＤを決定し、発行ビューロ側システムに通知する。発行ビューロ側システムは、通信事業者側システムから通知された通信ＩＤと、通信ＩＤを記録したＵＳＩＭカードのＵＳＩＭのＩＤとを関連づけて本人確認情報としてデータベースに記録する。このデータベースに記録された本人確認情報に基づいて、発行ビューロシステムでは通信事業者から指定された住所、氏名の利用者にＵＳＩＭカードを送付する。これにより、ＵＳＩＭカードの発行と送付を発行ビューロに集約することができ、通信事業者や携帯端末の販売店などの負担が軽減され、また発行ビューロの作業効率も向上しコストの低減が図れる。
【００７８】
また、請求項４の通信事業者側システムは、通信事業者側システムは、携帯端末を利用したい利用者から利用者情報を受け取り、通信ＩＤを決定し、通信ＩＤと利用者情報を発行ビューロ側システムに通知し、さらに、発行ビューロ側システムにＵＳＩＭカードの発行と利用者への送付を指示する。これにより、通信事業者は通信ＩＤを決定するだけで、ＵＳＩＭカードの発行と利用者への送付をすべて発行ビューロに委託することができ、通信事業者の負担が軽減される。また、ＵＳＩＭカードの発行と送付を発行ビューロに集約することで、ＵＳＩＭカードの発行の効率化が図れる。また、通信事業者は複数の発行ビューロにＵＳＩＭカードの発行を振り分け負荷分散することができ、ＵＳＩＭカードが大量発行される場合に適切に対応できるようになる。また、利用者は販売店などに行くことなくＵＳＩＭカードを購入できる。
【００７９】
また、請求項５の通信事業者側システムは、通信事業者側システムは、通信ＩＤと利用者情報をデータベースに記録し、また発行ビューロから通知されたＵＳＩＭカードのＵＳＩＭのＩＤに基づいて、通信ＩＤと利用者情報を関連づけてデータベースに記録する。これにより、通信事業者システムでは、利用者のＵＳＩＭカードと、通信ＩＤと、利用者情報を一元的に管理することができ、ＵＳＩＭカードの発行と送付を発行ビューロに委託することができる。このため、通信事業者の負担が軽減さる。
【００８０】
また、請求項６の通信事業者側システムは、利用者はＵＳＩＭを使用した携帯端末から通信事業者側システムに通信ＩＤの変更申請を行い、通信事業者のシステムでは通信ＩＤを変更し、変更した通信ＩＤを利用者の携帯端末に通知する。携帯端末では通知された通信ＩＤをＵＳＩＭに書き込み、以降は変更された通信ＩＤを使用して通話を行う。これにより、携帯端末における通信ＩＤの変更が簡単に行えるようになる。さらに、通信ＩＤの変更が容易に行えることから、発行ビューロに通信ＩＤを通知する際に、通信ＩＤが他に漏れるリスクをなくすことができる。
【００８１】
また、請求項７のＵＳＩＭカード発行方法は、通信事業者側システムは通信ＩＤを決定し、発行ビューロ側システムに通知する。発行ビューロ側システムでは通知された通信ＩＤを記録したＵＳＩＭを搭載したＵＳＩＭカードを発行する。また、発行ビューロ側システムは発行したＵＳＩＭカードを通信事業者から指定された住所、氏名の利用者に送付する。これにより、ＵＳＩＭカードの発行と送付を発行ビューロに集約することができ、通信事業者や携帯端末の販売店などの負担が軽減され、また発行ビューロの作業効率も向上しコストの低減が図れる。また、利用者の本人確認をＵＳＩＭカードの送付によって行える効果がある。
【００８２】
また、請求項８のＵＳＩＭカード発行方法は、発行ビューロ側システムでは発行したＵＳＩＭのＩＤ（識別記号）を通信事業者側システムに通知し、通信事業者側システムは「ＵＳＩＭのＩＤ」と「通信ＩＤ」とを関連づけてデータベースに登録して管理する。これにより、通信事業者は通信ＩＤを決定するだけで、ＵＳＩＭカードの発行と利用者への送付をすべて発行ビューロに委託することができ、通信事業者や携帯端末の販売店などの負担が軽減され、また、ＵＳＩＭカードの発行の効率化が図れる。
【００８３】
また、請求項９のＵＳＩＭカード発行方法は、通信事業者側システムは通信ＩＤを決定し、発行ビューロ側システムに通知する。発行ビューロ側システムは、通信事業者側システムから通知された通信ＩＤと、通信ＩＤを記録したＵＳＩＭカードのＵＳＩＭのＩＤとを関連づけて本人確認情報としてデータベースに記録する。このデータベースに記録された本人確認情報に基づいて、発行ビューロシステムでは通信事業者から指定された住所、氏名の利用者にＵＳＩＭカードを送付する。これにより、ＵＳＩＭカードの発行と送付を発行ビューロに集約することができ、通信事業者や携帯端末の販売店などの負担が軽減され、また発行ビューロの作業効率も向上しコストの低減が図れる。
【００８４】
また、請求項１０のＵＳＩＭカード発行指示方法は、通信事業者側システムは、携帯端末を利用したい利用者から利用者情報を受け取り、通信ＩＤを決定し、通信ＩＤと利用者情報を発行ビューロ側システムに通知し、さらに、発行ビューロ側システムにＵＳＩＭカードの発行と利用者への送付を指示する。これにより、通信事業者は通信ＩＤを決定するだけで、ＵＳＩＭカードの発行と利用者への送付をすべて発行ビューロに委託することができ、通信事業者の負担が軽減される。また、ＵＳＩＭカードの発行と送付を発行ビューロに集約することで、ＵＳＩＭカードの発行の効率化が図れる。また、通信事業者は複数の発行ビューロにＵＳＩＭカードの発行を振り分け負荷分散することができ、ＵＳＩＭカードが大量発行される場合に適切に対応できるようになる。また、利用者は販売店などに行くことなくＵＳＩＭカードを購入できる。
【００８５】
また、請求項１１のＵＳＩＭカード発行指示方法は、通信事業者側システムは、通信ＩＤと利用者情報をデータベースに記録し、また発行ビューロから通知されたＵＳＩＭカードのＵＳＩＭのＩＤに基づいて、通信ＩＤと利用者情報を関連づけてデータベースに記録する。これにより、通信事業者システムでは、利用者のＵＳＩＭカードと、通信ＩＤと、利用者情報を一元的に管理することができ、ＵＳＩＭカードの発行と送付を発行ビューロに委託することができる。このため、通信事業者の負担が軽減さる。
【００８６】
また、請求項１２の通信ＩＤ変更方法は、利用者はＵＳＩＭを使用した携帯端末から通信事業者側システムに通信ＩＤの変更申請を行い、通信事業者のシステムでは通信ＩＤを変更し、変更した通信ＩＤを利用者の携帯端末に通知する。携帯端末では通知された通信ＩＤをＵＳＩＭに書き込み、以降は変更された通信ＩＤを使用して通信を行う。これにより、携帯端末における通信ＩＤの変更が簡単に行えるようになる。さらに、通信ＩＤの変更が容易に行えることから、発行ビューロに通信ＩＤを通知する際に、通信ＩＤが他に漏れるリスクをなくすことができる。
【図面の簡単な説明】
【図１】  ＵＳＩＭカード発行システムの構成例を示す図である。
【図２】  通信事業者システム及び発行ビューロシステムの機能構成を示す図である。
【図３】  システムで取り扱うデータ構造を示す図である。
【図４】  図１のシステムの動作フローを示す図である。
【図５】  各システム及び利用者の携帯端末におけるデータ構造の遷移について説明するための図その１である。
【図６】  各システム及び利用者の携帯端末におけるデータ構造の遷移について説明するための図その２である。
【図７】  通信事業者システムのサーバの構成例を示すブロック図である。
【図８】  発行ビューロシステムのサーバの構成例を示すブロック図である。
【図９】  携帯端末の構成例を示すブロック図である。
【図１０】  ＵＳＩＭをＷｅｂサイトから購入する場合の画面の例を示す図である。
【図１１】  通信ＩＤを変更する場合の操作画面の例を示す図である。
【符号の説明】
１  携帯通信網
２  ネットワーク
１０  通信事業者
１１  通信事業者システム
１２  通信ＩＤの決定機能
１２ａ  通信ＩＤの通知機能
１３  ＵＳＩＭのＩＤ登録機能
１４  ＵＳＩＭカード送付指示機能
１５ａ  Ｗｅｂページ公開機能
１５ｂ  ＵＳＩＭ購入受付機能
１５ｃ  利用者情報の登録機能
１６ａ  通信ＩＤの変更受付機能
１６ｂ  通信ＩＤの変更登録機能
１６ｃ  通信ＩＤの変更通知機能
１７  データベース
２０  発行ビューロ
２１  発行ビューロシステム
２２  ＵＳＩＭカードの発行機能
２３  ＵＳＩＭのＩＤ通知機能
２４  ＵＳＩＭカードの送付機能
２５  データベース
３０  利用者
３１  携帯端末
３２  ＵＳＩＭカード
３３  ＵＳＩＭ
３４  利用者端末
【図１】
0004797297.tif 000002
【図２】
0004797297.tif 000003
【図３】
0004797297.tif 000004
【図４】
0004797297.tif 000005
【図５】
0004797297.tif 000006
【図６】
0004797297.tif 000007
【図７】
0004797297.tif 000008
【図８】
0004797297.tif 000009
【図９】
0004797297.tif 000010
【図１０】
0004797297.tif 000011
【図１１】
0004797297.tif 000012